(57)【要約】【課題】本発明の課題は、環境調整機器の運転時における異常の原因を迅速に調査することができる環境調整機器の監視装置、監視プログラムおよび監視方法を提供することにある。【解決手段】環境調整機器の監視装置７０，７１は、環境情報表示手段９１，１６１と環境調整機器情報表示手段９２，１６２とを備える。環境情報表示手段９１，１６１は、環境調整機器の設定環境に対して実環境データを監視画面３００，３０１に表示する。そして、同監視画面３００，３０１において実環境データを指定すると、環境調整機器情報表示手段９２，１６２は、環境調整機器に関する情報を同監視画面３００，３０１に表示する。【選択図】　　　　図４
2004127047.tif 000002
【特許請求の範囲】
【請求項１】
環境調整機器の運転状態を監視する環境調整機器の監視装置（７０，７１）であって、
前記環境調整機器の設定環境に対して実環境データを監視画面（３００，３０１）に表示する環境情報表示手段（９１，１６１）と、
前記監視画面（３００，３０１）において前記実環境データを指定すると、前記環境調整機器に関する情報を前記監視画面（３００，３０１）に表示する環境調整機器情報表示手段（９２，１６２）と、
を備える、環境調整機器の監視装置（７０，７１）。
【請求項２】
前記環境情報表示手段（９１，１６１）は、前記監視画面（３００，３０１）において前記設定環境に対して所定時間毎の実環境データを表示する、
請求項１に記載の環境調整機器の監視装置（７０，７１）。
【請求項３】
記環境情報表示手段（９１，１６１）は、前記監視画面（３００，３０１）において前記設定環境に対して実環境データを所定時間間隔でグラフ（２００）にプロットする、
請求項１に記載の環境調整機器の監視装置（７０，７１）。
【請求項４】
前記監視画面（３００，３０１）において前記実環境データを指定すると、前記実環境データの履歴を監視画面（３００，３０１）に表示する実環境データ履歴表示手段（９３，１６３）をさらに備える、
請求項１から３のいずれかに記載の環境調整機器の監視装置（７０，７１）。
【請求項５】
前記監視画面（３００）において前記実環境データを指定すると、環境調整場所に関する情報を監視画面（３００）に表示する環境調整場所情報表示手段（９４）をさらに備える、
請求項１から４のいずれかに記載の環境調整機器の監視装置（７０）。
【請求項６】
異常データを判別する異常データ判別手段（９５，１６４）と、
前記異常データを区別して表示する異常データ区別表示手段（９６，１６５）と、
をさらに備える、
請求項１から５のいずれかに記載の環境調整機器の監視装置（７０，７１）。
【請求項７】
前記監視画面（３００、３０１）において前記異常データを指定すると、異常原因を表示する異常原因表示手段（１５０）をさらに備える、
請求項６に記載の環境調整機器の監視装置（７０，７１）。
【請求項８】
環境調整機器の運転状態を監視する環境調整機器の監視プログラム（１００，１７０）であって、
前記環境調整機器の設定環境に対して実環境データを監視画面（３００，３０１）に表示する環境情報表示ルーチン（９１，１６１）と、
前記監視画面（３００，３０１）において前記実環境データを指定すると、前記環境調整機器に関する情報を前記監視画面（３００，３０１）に表示する環境調整機器情報表示ルーチン（９２，１６２）と、
を備える、環境調整機器の監視プログラム（１００，１７０）。
【請求項９】
環境調整機器の運転状態を監視する環境調整機器の監視方法であって、
前記環境調整機器の設定環境に対して実環境データを監視画面（３００，３０１）に表示する環境情報表示ステップと、
前記監視画面（３００，３０１）において前記実環境データを指定すると、前記環境調整機器に関する情報を前記監視画面（３００，３０１）に表示する環境調整機器情報表示ステップと、
を備える、環境調整機器の監視方法。
【発明の詳細な説明】
【０００１】
【発明の属する技術分野】
本発明は、環境調整機器の運転状態を監視する環境調整機器の監視装置、監視プログラムおよび監視方法に関する。
【０００２】
【従来の技術】
空気調和機、冷蔵庫、冷凍庫および照明機器などの環境調整機器の運転状態を監視する場合に、図１に示すようなトレンドグラフが従来から用いられている（例えば、特許文献１参照。）。トレンドグラフとは、時間を横軸としてデータを表示するグラフをいう。
【０００３】
例えば、空気調和機の運転状態の監視には、空気調和対象となる空間の温度を縦軸とするトレンドグラフが用いられるのが一般的である。そして、図２に示すように、このトレンドグラフには、空間の温度が正常に空気調和されているかが一見してわかるように、上限値と下限値とが表示されていることが多い。このため、異常を迅速に発見することができる。
【０００４】
【特許文献１】
特開２００１−７９３５号公報（第８−９項、図３）
【０００５】
【発明が解決しようとする課題】
しかし、異常が発見された場合、その原因を調査するために、その空気調和機に関する様々なデータを別途に調査する必要がある。この作業は、煩雑であり、かつ、時間がかかるという問題を有している。また、この問題は、先の冷蔵庫、冷凍庫および照明機器などの監視においても同様に起こると考えられる。
【０００６】
本発明の課題は、環境調整機器の運転時における異常の原因を迅速に調査することができる環境調整機器の監視装置、監視プログラムおよび監視方法を提供することにある。
【０００７】
【課題を解決するための手段】
請求項１に記載の環境調整機器の監視装置は、環境調整機器の運転状態を監視する環境調整機器の監視装置であって、環境情報表示手段と環境調整機器情報表示手段とを備える。環境情報表示手段は、環境調整機器の設定環境に対して実環境データを監視画面に表示する。なお、ここで、環境調整機器とは、空気調和機、冷蔵庫（コンビニエンスストアなどのショーケースを含む。）、冷凍庫および照明機器などをいう。また、環境とは、温度、湿度、不快指数、室内の明るさなどをいう。また、データは、表形式で表示されてもよいし、グラフ形式で表示されてもよい。そして、同監視画面において実環境データを指定すると、環境調整機器情報表示手段は、環境調整機器に関する情報を同監視画面に表示する。なお、環境調整機器に関する情報とは、設定値、機器内の動力部の運転データ、接点情報および省エネルギー制御のＯＮ／ＯＦＦ情報などを含む。
【０００８】
ここでは、環境情報表示手段が、環境調整機器の設定環境に対して実環境データを監視画面に表示する。このため、異常が発生すると、設定環境と実環境データとの間に差が生じる。なお、この差は、設定環境と実環境データとの比を利用して認識できる。また、グラフを用いて視覚的に認識することもできる。したがって、異常の発生を迅速に感知することができる。そして、同監視画面において実環境データを指定すると、環境調整機器情報表示手段が、環境調整機器に関する情報を同監視画面に表示する。このため、異常が発生すれば、迅速に環境調整機器の運転状態を調査することができる。
【０００９】
請求項２に記載の環境調整機器の監視装置は、請求項１に記載の監視装置であって、環境情報表示手段は、監視画面において環境調整機器の設定環境に対して所定時間毎の実環境データを表示する。
ここでは、環境情報表示手段が、監視画面において環境調整機器の設定環境に対して所定時間毎の実環境データを表示する。このため、一定期間内の複数データを監視画面に表示することができる。
【００１０】
請求項３に記載の環境調整機器の監視装置は、請求項１に記載の監視装置であって、環境情報表示手段は、監視画面において設定環境に対して実環境データを所定時間間隔でグラフにプロットする。
ここでは、環境情報表示手段が、監視画面において設定環境に対して実環境データを所定時間間隔でグラフにプロットする。このため、設定環境に対する実環境データを視覚的に認識できる。
【００１１】
請求項４に記載の環境調整機器の監視装置は、請求項１から３のいずれかに記載の監視装置であって、実環境データ履歴表示手段をさらに備える。監視画面において実環境データを指定すると、実環境データ履歴表示手段は、実環境データの履歴を監視画面に表示する。
ここでは、監視画面において実環境データを指定すると、実環境データ履歴表示手段が、実環境データの履歴を同監視画面に表示する。このため、環境調整対象の実環境データの履歴を知ることができる。
【００１２】
請求項５に記載の環境調整機器の監視装置は、請求項１から４のいずれかに記載の監視装置であって、環境調整場所情報表示手段をさらに備える。監視画面において実環境データを指定すると、環境調整場所情報表示手段は、環境調整場所に関する情報を監視画面に表示する。なお、環境調整場所に関する情報とは、ドアおよび窓の開閉もしくは人の有無を確認するための環境調整場所の映像データ、ドアセンサーデータ、窓センサーデータおよび照度センサーデータなどをいう。
【００１３】
ここでは、監視画面において実環境データを指定すると、環境調整場所情報表示手段が、環境調整場所に関する情報を同監視画面に表示する。このため、環境調整場所の状況を知ることができる。
請求項６に記載の環境調整機器の監視装置は、請求項１から５のいずれかに記載の監視装置であって、異常データ判別手段と異常データ区別表示手段とをさらに備える。異常データ判別手段は、異常データを判別する。異常データ区別表示手段は、異常データを区別して表示する。なお、異常データの区別表示は、文字あるいはプロットなどの表示形態、例えば、色や形状などを変化させるなどして行われる。
【００１４】
ここでは、異常データ判別手段が、異常データを判別する。そして、異常データ区別表示手段が、異常データを区別して表示する。このため、異常データを容易かつ迅速に発見できる。
請求項７に記載の環境調整機器の監視装置は、請求項６に記載の監視装置であって、異常原因表示手段をさらに備える。監視画面において異常データを指定すると、異常原因表示手段は、異常原因を表示する。
【００１５】
ここでは、監視画面において異常データを指定すると、異常原因表示手段が、異常原因を表示する。このため、異常の原因を容易かつ迅速に知ることができる。
請求項８に記載の環境調整機器の監視プログラムは、環境調整機器の運転状態を監視する環境調整機器の監視プログラムであって、環境情報表示ルーチンと環境調整機器情報表示ルーチンとを備える。環境情報表示ルーチンは、環境調整機器の設定環境に対して実環境データを監視画面に表示する。そして、同監視画面において実環境データを指定すると、環境調整機器情報表示ルーチンは、環境調整機器に関する情報を同監視画面に表示する。
【００１６】
ここでは、環境情報表示ルーチンが、環境調整機器の設定環境に対して実環境データを監視画面に表示する。このため、異常が発生すると、設定環境と実環境データとの間に差が生じる。したがって、異常の発生を迅速に感知することができる。そして、同監視画面において実環境データを指定すると、環境調整機器情報表示ルーチンが、環境調整機器に関する情報を同監視画面に表示する。このため、異常が発生すれば、迅速に環境調整機器の運転状態を調査することができる。
【００１７】
請求項９に記載の環境調整機器の監視方法は、環境調整機器の運転状態を監視する環境調整機器の監視方法であって、環境情報表示ステップと環境調整機器情報表示ステップとを備える。環境情報表示ステップでは、環境調整機器の設定環境に対して実環境データを監視画面に表示する。そして、同監視画面において実環境データを指定すると、環境調整機器情報表示ステップでは、環境調整機器に関する情報を同監視画面に表示する。
【００１８】
この監視方法を実施すると、環境表示ステップで、環境調整機器の設定環境に対して実環境データを監視画面に表示する。このため、異常が発生すると、設定環境と実環境データとの間に差が生じる。したがって、異常の発生を迅速に感知することができる。そして、同監視画面において実環境データを指定すると、環境調整機器情報表示ステップで、環境調整機器に関する情報を同監視画面に表示する。このため、異常が発生すれば、迅速に環境調整機器の運転状態を調査することができる。
【００１９】
【発明の実施の形態】
＜第１実施形態＞
本発明の第１実施形態に係る空気調和機の監視装置７０は、ビル４０内で空気調和されている部屋３０，３１などの環境異常を迅速に発見し、また、異常の原因を迅速に調査することができる監視装置７０である。
［監視対象とその監視対象を監視するための監視機器１，２，３，４，６０とに関する説明］
第１実施形態に係る空気調和機の監視装置７０の監視対象は、図３に示すビル４０の事務所３０および会議室３１などの室温、部屋状態および空気調和機の運転状態である。
（１）事務所３０および会議室３１の室温の監視
このビルには、事務所３０および会議室３１などがある。これらの部屋３０，３１には、それぞれ室内機２０ａ，２０ｂが設置されている。
【００２０】
ここでは、これら部屋３０，３１の室温を監視するために、室内機２０ａ，２０ｂに温度センサ１０ａ，１０ｂが取り付けられている。
（２）事務所３０および会議室３１の部屋状態の監視
事務所３０および会議室３１などの状態を監視するために、デジタル監視カメラ１、窓センサ２、ドアセンサ３および照度センサ４が設置されている。デジタル監視カメラ１は、部屋３０，３１などの映像を撮影する。窓センサ２は、窓の開閉を感知する。ドアセンサ３は、ドアの開閉を感知する。照度センサ４は、部屋の明るさを測定する。
（３）空気調和機の運転状態の監視
空気調和機は、室内機２０ａ，２０ｂと室外機５０とから成る。室外機５０は、ビル４０屋上に設置されている。また、その室外機５０は、事務所３０および会議室３１などに配置される室内機２０ａ，２０ｂに接続される。
【００２１】
ここでは、室内機２０ａ，２０ｂの室内ファンの運転状態を監視する。
また、室外機５０は制御管理装置６０に接続されている。このため、室外機５０に関するデータは、制御管理装置６０から収集可能である。制御管理装置６０は、機種情報管理部１１０、設置場所管理部１１１、スケジュール管理部１１２、圧縮機運転周波数制御部１１３、消費電力制御部１１４および膨張弁制御部１１５を備える。機種情報管理部１１０は、室外機５０および室内機２０ａ，２０ｂの機種名および機種番号などを管理する。設置場所管理部１１１は、室内機２０ａ，２０ｂが設置されている部屋３０，３１と室外機５０との対応関係およびその部屋３０，３１における室内機２０ａ，２０ｂの位置などを管理する。スケジュール管理部１１２は、省エネルギー制御スケジュールなどを管理する。圧縮機運転周波数制御部１１３は、圧縮機の運転周波数を測定して制御する。消費電力制御部１１４は、空気調和機の消費電力を測定して制御する。膨張弁制御部１１５は、膨張弁を制御する。
［空気調和機の監視装置７０に関する説明］
第１実施形態において空気調和機の監視装置７０は、コンピュータである。この監視装置７０には、監視プログラム１００がインストールされている。また、この監視装置７０は、データベース８０を有する。なお、監視装置７０は管理室１３０に設置されている。
【００２２】
監視プログラム１００は、データ収集ルーチン９０、部屋環境情報表示ルーチン９１、空気調和機情報表示ルーチン９２、室温履歴表示ルーチン９３、部屋状態情報表示ルーチン９４、異常データ判別ルーチン９５および異常データ区別表示ルーチン９６を備える。データ収集ルーチン９０は、制御管理装置６０、デジタル監視カメラ１、窓センサ２、ドアセンサ３および照度センサ４などから収集したデータをデータベース８０に蓄積する。部屋環境情報表示ルーチン９１は、事務所３０および会議室３１などにおける設定温度に対して実際の室温をグラフ上にプロットする。空気調和機情報表示ルーチン９２は、室内機２０ａ，２０ｂの室内ファンおよび制御管理装置６０から取得する空気調和機の動力部の運転状態を示すグラフを表示する。室温履歴表示ルーチン９３は、事務所３０および会議室３１などにおける室温の履歴を表示する。部屋状態情報表示ルーチン９４は、部屋の画像データ、部屋の明るさ、ドアの開閉状態および窓の開閉状態に関するデータなどを表示する。異常データ判別ルーチン９５は、異常データを判別する。異常データ区別表示ルーチン９６は、異常データを区別してグラフ２００に表示する。
［空気調和機の監視装置６０の接続形態に関する説明］
監視装置７０は、制御管理装置６０、デジタル監視カメラ１、窓センサ２、ドアセンサ３および照度センサ４に接続される。
［監視画面３００］
第１実施形態に係る監視装置７０の監視画面３００に表示されるグラフ２００を図４に示す。このグラフ２００には、事務所３０および会議室３１などにおける設定温度に対して事務所３０および会議室３１などでの実際の室温が１分間隔でプロットされる。なお、１時間を経過したプロットは、監視画面３００から順次消去される。グラフ２００には、設定温度と実際の温度との比が１対１になる理想線２１０が表示される。そして、この理想線に対して０．５℃上の平行線２２０が上限値を示す。また、この理想線に対して０．５℃下の平行線２２１が下限値を示す。ここで、上限値と下限値との間にあるデータは、正常データとして白い丸記号でプロットされる。それ以外のデータは、異常データ判別ルーチンにより異常なデータと判別されて、異常データ区別表示ルーチンにより赤い四角記号でプロットされる。なお、最新のプロットは点滅表示される。したがって、最新のプロットを認識することができる。
［監視画面３００の切り替え］
図４に示す監視画面３００において点滅表示されている赤い四角記号プロットをクリックすると、図５に示す調査データ群１４０，１４１，１４２が表示される。
［プロットクリック後に切り替わった監視画面３００］
監視画面３００において最前面にある点滅表示されている赤い四角記号プロットをクリックしたときに表示される調査データ群１４０，１４１，１４２を図５に示した。調査データ群１４０，１４１，１４２は、第１セクション１４０、第２セクション１４１および第３セクション１４２に分類されて表示される。
【００２３】
第１セクション１４０では、設定温度および実際の室温のトレンドグラフが表示される。なお、監視画面３００でクリックされたプロットに対応する点は、黒いダイヤ形状のプロットで示される。ここでは、設定温度および実際の室温の履歴がトレンドグラフで表示される。このため、図４に示すように、設定が変更されたことによって監視画面３００におけるグラフ２００でのプロットが理想線２１０から乖離して一見異常のように見えることがあっても、その原因が設定温度の変更によるものであることが迅速に知ることができる。
【００２４】
第２セクション１４１では、部屋３０，３１の名前、部屋３０，３１の窓の開閉状態に関するデータ、ドアの開閉状態に関するデータ、照度およびその部屋３０，３１の画像データが表示される。ここでは、プロットに関連する部屋３０，３１の名前が表示される。このため、どこで異常が発生しているのか迅速に知ることができる。また、部屋３０，３１の窓の開閉状態およびドアの開閉状態も併せて表示される。このため、窓の開閉やドアの開閉によって異常が起こったのかを迅速に知ることができる。さらに、部屋の照度および部屋の画像データも併せて表示される。このため、人の退出に伴う空気調和機の停止によって異常が起こったのかを迅速に知ることができる。
【００２５】
第３セクション１４２では、室内ファンの回転数、圧縮機の運転周波数、消費電力および膨張弁の弁開度のトレンドグラフ、省エネルギー制御スケジュール並びに室外機５０および室内機２０ａ，２０ｂの機種番号が表示される。ここでは、空気調和機の運転に必要な動力部のトレンドグラフが表示される。このため、空気調和機が故障した場合に、故障原因を迅速に調査することができる。また、室外機５０および室内機２０ａ，２０ｂの機種番号も表示される。このため、空気調和機が故障した場合に、その機種に応じた修理の準備を迅速に行うことができる。
［監視装置７０の特徴］
（１）
監視画面３００においてグラフ２００上に設定温度に対する実際の室温がプロットされるので、視覚的に異常を発見できる。
（２）
グラフ２００のプロットをクリックすると、調査データ群１４０，１４１，１４２が現れるので、迅速かつ容易に異常の原因を調査することができる。
（３）
調査データ群の第２セクション１４１には、空気調和機の設置場所が表示されるので、異常が発生した場合に、どこで異常が発生しているのかを迅速に知ることができる。また調査データ群の第３セクション１４２には、室内機２０ａ，２０ｂおよび室外機５０の識別情報が表示されるので、室内機２０ａ，２０ｂあるいは室外機５０が故障した場合、修理しなければならない箇所の特定や修理に必要な準備などを迅速に行うことができる。
（４）
それぞれの部屋３０，３１には、デジタル監視カメラ１、窓センサ２、ドアセンサ３および照度センサ４が設置されている。このため、異常が起きた場合に、管理室１３０から現地３０，３１に行って人の有無、窓やドアの開閉状態などの確認をする必要がない。したがって、異常の原因調査を迅速に行うことができる。
＜第１実施形態の変形例＞
（１）監視画面３００の第１変形例
第１実施形態に係るグラフ２００では、設定値変更によるデータ異常とドアの開閉によるデータ異常とが同じ形態のプロットで表示されたが、これに代えて、図６に示すように、設定値変更によるデータ異常は赤い四角プロットで表示し、ドアの開閉によるデータ異常は青い四角プロットで表示してもよい。このように、異常原因が異なるときに表示形態を変化させると、監視画面３００だけでその異常の原因を特定できる。
（２）監視画面３００の第２変形例
第１実施形態に係るグラフ２００では、設定変更によるデータを異常と見なしていたが、設定値変更によるデータの乖離は所定時間で解消されるので、これに代えて、設定値変更によるデータの乖離を異常とは見なさずに、図７に示すように、正常プロットとして表示してもよい。
（３）プロット方法
第１実施形態では、１時間を経過したプロットが順次消去されたが、これに代えて、１時間分のプロットだけを表示することとしてもよい（１時間ごとに全プロットを消去する。）。
＜第１実施形態の拡張例＞
第１実施形態では、監視画面３００に表示されるプロットをクリックすると、調査データ群１４０，１４１，１４２が表示されるだけであった。しかし、監視プログラム１００に異常原因表示ルーチンを加えることにより、監視画面３００に表示されるプロットをクリックすると、図９に示すように、調査データ群１４０，１４１，１４２とともに異常原因の候補を表示するダイアログ１５０を表示させることができる。ここで、異常原因表示ルーチンの処理の流れを図８に示す。
［異常原因候補表示の流れ］
ステップＳ１では、所定時間内に設定が変更されたかを確認する。ステップＳ１の確認の結果、所定時間内に設定が変更されていた場合は、ステップＳ１１で、「設定変更による異常です。」というメッセージをダイアログ１５０に表示する。ステップＳ１の確認の結果、所定時間内に設定が変更されていない場合は、ステップＳ２に移る。
【００２６】
ステップＳ２では、ドアが開いているかを確認する。ステップＳ２の確認の結果、ドアが開いている場合は、ステップＳ１２で、「ドアが開いています。」というメッセージをダイアログ１５０に表示する。ステップＳ２の確認の結果、ドアが開いていない場合は、ステップＳ３に移る。
ステップＳ３では、窓が開いているかを確認する。ステップＳ３の確認の結果、窓が開いている場合は、ステップＳ１３で、「窓が開いています。」というメッセージをダイアログ１５０に表示する。ステップＳ３の確認の結果、窓が開いていない場合は、ステップＳ４に移る。
【００２７】
ステップＳ４では、電気が消えているかを確認する。ステップＳ４の確認の結果、設定が変更されていた場合は、ステップＳ１４で、「人がいません。」というメッセージをダイアログ１５０に表示する。ステップＳ４の確認の結果、電気が消えていない場合は、ステップＳ５に移る。
ステップＳ５では、時刻が省エネルギー制御中にあるかを確認する。ステップＳ５の確認の結果、設定が変更されていた場合は、ステップＳ１５で、「省エネルギー制御中です。」というメッセージをダイアログ１５０に表示する。ステップＳ５の確認の結果、時刻が省エネルギー制御中にない場合は、ステップＳ６に移る。
【００２８】
ステップＳ６では、室内ファンに異常があるかを確認する。ステップＳ６の確認の結果、室内ファンに異常がある場合は、ステップＳ１６で、「室内ファン異常です。」というメッセージをダイアログ１５０に表示する。ステップＳ６の確認の結果、室内ファンに異常がない場合は、ステップＳ７に移る。
ステップＳ７では、消費電力に異常があるかを確認する。これは、消費電力制御部１１４から送信される情報に基づいて行われる。例えば、その情報に閾値を設けておくなどのことが考えられる。ステップＳ７の確認の結果、消費電力に異常がある場合は、ステップＳ１７で、「室外機異常です。」というメッセージをダイアログ１５０に表示する。ステップＳ７の確認の結果、消費電力に異常がない場合は、ステップＳ８に移る。
【００２９】
ステップＳ８では、圧縮機に異常があるかを確認する。これは、圧縮機運転周波数制御部１１３から送信される情報に基づいて行われる。例えば、その情報に閾値を設けておくなどのことが考えられる。ステップＳ８の確認の結果、圧縮機に異常がある場合は、ステップＳ１８で、「圧縮機異常です。」というメッセージをダイアログ１５０に表示する。ステップＳ８の確認の結果、圧縮機に異常がない場合は、ステップＳ９に移る。
【００３０】
ステップＳ９では、膨張弁に異常があるかを確認する。これは、膨張弁制御部１１５から送信される情報に基づいて行われる。例えば、その情報に閾値を設けておくなどのことが考えられる。ステップＳ９の確認の結果、膨張弁に異常がある場合は、ステップＳ１９で、「膨張弁異常です。」というメッセージをダイアログ１５０に表示する。ステップＳ９の確認の結果、膨張弁に異常がない場合は、ステップＳ１０に移る。
【００３１】
ステップＳ１０では、「原因特定できません。」というメッセージをダイアログ１５０に表示する。
＜第２実施形態＞
本発明の第２実施形態に係るショーケースの監視装置７１は、コンビニエンスストアやスーパーマーケットなどの店舗４１に設置されるショーケース２１ａ，２１ｂ，２１ｃ，２１ｄの環境異常を迅速に発見し、また、異常の原因を迅速に調査することができる監視装置７１である。
［監視対象とその監視対象を監視するための監視機器１０ａ，１０ｂ，１０ｃ，１０ｄとに関する説明］
第２実施形態に係るショーケース２１ａ，２１ｂ，２１ｃ，２１ｄの監視装置７１が監視を行う対象は、図１０に示すショーケース２１ａ，２１ｂ，２１ｃ，２１ｄの庫内温度並びにショーケース２１ａ，２１ｂ，２１ｃ，２１ｄおよび室外機５１の運転状況である。
（１）ショーケース２１ａ，２１ｂ，２１ｃ，２１ｄの庫内温度の監視
ここでは、ショーケース２１ａ，２１ｂ，２１ｃ，２１ｄの庫内温度を監視するために、庫内に温度センサ１０ａ，１０ｂ，１０ｃ，１０ｄが取り付けられている。
（２）ショーケース２１ａ，２１ｂ，２１ｃ，２１ｄおよび室外機５１の運転状態の監視
ショーケース２１ａ，２１ｂ，２１ｃ，２１ｄは、室外機５１に接続される。
【００３２】
ここでは、ショーケース２１ａ，２１ｂ，２１ｃ，２１ｄのファンの運転状態を監視する。
また、室外機５１は制御管理装置６１に接続されている。このため、室外機５１に関するデータは、制御管理装置６１から収集可能である。制御監視装置６１は、機種情報管理部１８０、設置位置管理部１８１、スケジュール管理部１８２、圧縮機運転周波数制御部１８３、消費電力制御部１８４および膨張弁制御部１８５を備える。機種情報管理部１８０は、ショーケース２１ａ，２１ｂ，２１ｃ，２１ｄの機種名および機種番号などを管理する。設置位置管理部１８１は、店舗内におけるショーケース２１ａ，２１ｂ，２１ｃ，２１ｄの位置などを管理する。スケジュール管理部１８２は、除霜運転スケジュールなどを管理する。圧縮機運転周波数制御部１８３は、圧縮機の運転周波数を測定して制御する。消費電力制御部１８４は、ショーケース２１ａ，２１ｂ，２１ｃ，２１ｄの室外機５１の消費電力を測定して制御する。膨張弁制御部１８５は、膨張弁を制御する。
［ショーケース２１ａ，２１ｂ，２１ｃ，２１ｄの監視装置７１に関する説明］
第２実施形態においてショーケース２１ａ，２１ｂ，２１ｃ，２１ｄの監視装置７１は、コンピュータである。この監視装置７１には、監視プログラム１７０がインストールされている。また、監視装置７１は、データベース８１を有する。なお、監視装置７１は管理室１３１に設置されている。
【００３３】
監視プログラム１７０は、データ収集ルーチン１６０、庫内環境情報表示ルーチン１６１、ショーケース情報表示ルーチン１６２、庫内温度履歴表示ルーチン１６３、異常データ判別ルーチン１６４および異常データ区別表示ルーチン１６５を備える。データ収集ルーチン１６０は、制御管理装置６１から収集したデータをデータベース８１に蓄積する。庫内環境情報表示ルーチン１６１は、ショーケース２１ａ，２１ｂ，２１ｃ，２１ｄの設定温度に対して実際の庫内温度をグラフ上にプロットする。ショーケース情報表示ルーチン１６２は、ショーケース２１ａ，２１ｂ，２１ｃ，２１ｄのファンおよび制御管理装置６１から取得する動力部の運転状態を示すグラフを表示する。庫内温度履歴表示ルーチン１６３は、庫内温度の履歴を表示する。異常データ判別ルーチン１６４は、異常データを判別する。異常データ区別表示ルーチン１６５は、異常データを区別してグラフ２００に表示する。
［ショーケースの監視装置の接続形態に関する説明］
監視装置７１は、制御管理装置６１に接続される。
［監視画面３０１］
第２実施形態に係る監視装置の監視画面３０１に通常表示されるグラフ２００を図１１に示す。このグラフ２００には、ショーケース２１ａ，２１ｂ，２１ｃ，２１ｄの設定温度に対して庫内温度が１分間隔でプロットされる。なお、プロットは、１時間単位で行われる。グラフ２００には、設定温度と実際の庫内温度との比が１対１になる理想線２１０が表示される。そして、この理想線２１０に対して０．５℃上の平行線２２０が上限値を示す。また、この理想線に対して０．５℃下の平行線２２１が下限値を示す。ここで、上限値と下限値との間にあるデータは、正常データとして白い丸記号でプロットされる。それ以外のデータは、異常データ判別ルーチンにより、異常なデータと判別され、異常データ区別表示ルーチンにより、赤い四角記号でプロットされる。なお、ここで、最新のプロットは、点滅表示される。したがって、最新のプロットを認識することができる。
［監視画面３０１の切り替え］
図１１に示す監視画面３０１において点滅表示されている赤い四角記号プロットをクリックすると、図１２に示すような調査データ群１９０，１９１，１９２，１９３が表示される。なお、ここでは、そのプロットが表示された１５分前からの調査データ群１９０，１９１，１９２，１９３が表示される。
［プロットクリック後に切り替わった監視画面３０１］
監視画面３０１において点滅表示されている赤い四角記号プロットをクリックしたときに表示される調査データ群１９０，１９１，１９２，１９３を図１２に示した。調査データ群１９０，１９１，１９２，１９３は、第１セクション１９０、第２セクション１９２、第３セクション１９３および第４セクション１９１に分類されて表示される。
【００３４】
第１セクション１９０では、設定温度および庫内温度のトレンドグラフと除霜運転スケジュールとが表示される。なお、監視画面３００でクリックされたプロットに対応する点は、黒いダイヤ形状のプロットで示される。ここでは、設定温度および庫内温度のトレンドグラフに除霜運転スケジュールが併せて表示される。このため、除霜運転によって異常データが表示された場合は、これらのグラフから異常の原因が除霜運転によるものであることが迅速に分かる。
【００３５】
第２セクション１９２では、ショーケース２１ａ，２１ｂ，２１ｃ，２１ｄのファンの回転数、圧縮機の運転周波数、消費電力および膨張弁の弁開度のトレンドグラフが表示される。このため、ショーケース２１ａ，２１ｂ，２１ｃ，２１ｄが故障などした場合に、ショーケース２１ａ，２１ｂ，２１ｃ，２１ｄおよび室外機５１の故障の原因を迅速に調査できる。
【００３６】
第３セクション１９３では、ショーケース２１ａ，２１ｂ，２１ｃ，２１ｄの設置位置が表示される。このため、ショーケース２１ａ，２１ｂ，２１ｃ，２１ｄが故障などした場合に、迅速にその現場に行くことできる。また、ショーケース２１ａ，２１ｂ，２１ｃ，２１ｄおよび室外機５１の機種番号も併せて表示される。このため、その修理に特化した作業などがある場合、その準備を迅速に行うことができる。
【００３７】
第４セクション１９１では、ショーケース２１ａ，２１ｂ，２１ｃ，２１ｄの運転能力を確認するための外気温度−運転電力のグラフが表示される。外気温度とショーケース２１ａ，２１ｂ，２１ｃ，２１ｄの運転電力とは比例関係にある。プロットがこの関係から乖離していれば、ショーケース２１ａ，２１ｂ，２１ｃ，２１ｄの能力が不足していることを知ることができる。また、そのプロットの乖離の程度からどのくらい能力が不足しているのかを予想することができる。
［監視装置の特徴］
調査データ群の第４セクション１９１では、ショーケース２１ａ，２１ｂ，２１ｃ，２１ｄの運転能力を確認するためのグラフが表示される。このため、異常が発生した場合、ショーケース２１ａ，２１ｂ，２１ｃ，２１ｄが能力不足であるかを確認することができる。また、プロットの乖離の程度からどのくらい能力不足であるかを予想することができる。また、運転能力が徐々に落ちていくような傾向を前もって発見できたときには、それが重大な問題になる前に対応することができる。
＜第２実施形態の変形例＞
（１）監視画面３０１の第１変形例
第２実施形態では、除霜運転によるデータ異常と圧縮機によるデータ異常とが同じ形態のプロットで表示されたが、これに代えて、除霜運転によるデータ異常は赤い四角プロットで表示し、圧縮機異常によるデータ異常は青い四角プロットで表示してもよい。このように、異常原因が異なるときに表示形態を変化させると、監視画面３０１だけでその異常の原因を特定できる。
（２）監視画面３０１の第２変形例
第２実施形態では、除霜運転によるデータを異常と見なしていたが、除霜運転によるデータの乖離は所定時間で解消されるので、これに代えて、除霜運転によるデータの乖離を異常とは見なさずに、正常プロットとして表示してもよい。
【００３８】
【発明の効果】
請求項１に係る環境調整機器の監視装置では、環境情報表示手段が、環境調整機器の設定環境に対して実環境データを監視画面に表示する。このため、異常が発生すると、設定環境と実環境データとの間に差が生じる。したがって、異常の発生を迅速に感知することができる。そして、同監視画面において実環境データを指定すると、環境調整機器情報表示手段が、環境調整機器に関する情報を同監視画面に表示する。このため、異常が発生すれば、迅速に環境調整機器の運転状態を調査することができる。
【００３９】
請求項２に係る環境調整機器の監視装置では、環境情報表示手段が、監視画面において環境調整機器の設定環境に対して所定時間毎の実環境データを表示する。このため、一定期間内の複数データを監視画面に表示することができる。
請求項３に係る環境調整機器の監視装置では、環境情報表示手段が、監視画面において設定環境に対して実環境データを所定時間間隔でグラフにプロットする。このため、設定環境に対する実環境データを視覚的に認識できる。
【００４０】
請求項４に係る環境調整機器の監視装置では、監視画面において実環境データを指定すると、実環境データ履歴表示手段が、実環境データの履歴を同監視画面に表示する。このため、環境調整対象の実環境データの履歴を知ることができる。
請求項５に係る環境調整機器の監視装置では、監視画面において実環境データを指定すると、環境調整場所情報表示手段が、環境調整場所に関する情報を同監視画面に表示する。このため、環境調整場所の状況を知ることができる。
【００４１】
請求項６に係る環境調整機器の監視装置では、異常データ判別手段が、異常データを判別する。そして、異常データ区別表示手段が、異常データを区別して表示する。このため、異常データを容易かつ迅速に発見できる。
請求項７に係る環境調整機器の監視装置では、監視画面において異常データを指定すると、異常原因表示手段が、異常原因を表示する。このため、異常の原因を容易かつ迅速に知ることができる。
【００４２】
請求項８に係る環境調整機器の監視プログラムでは、環境情報表示ルーチンが、環境調整機器の設定環境に対して実環境データを監視画面に表示する。このため、異常が発生すると、設定環境と実環境データとの間に差が生じる。したがって、異常の発生を迅速に感知することができる。そして、同監視画面において実環境データを指定すると、環境調整機器情報表示ルーチンが、環境調整機器に関する情報を同監視画面に表示する。このため、異常が発生すれば、迅速に環境調整機器の運転状態を調査することができる。
【００４３】
請求項９に係る環境調整機器の監視方法を実施すると、環境表示ステップで、環境調整機器の設定環境に対して実環境データを監視画面に表示する。このため、異常が発生すると、設定環境と実環境データとの間に差が生じる。したがって、異常の発生を迅速に感知することができる。そして、同監視画面において実環境データを指定すると、環境調整機器情報表示ステップで、環境調整機器に関する情報を同監視画面に表示する。このため、異常が発生すれば、迅速に環境調整機器の運転状態を調査することができる。
【図面の簡単な説明】
【図１】従来の監視画面に表示されるトレンドグラフ
【図２】上限値および下限値を視覚化したトレンドグラフ
【図３】第１実施形態に係る監視装置の使用形態を示すブロック図
【図４】第１実施形態に係る監視装置の監視画面に表示される通常表示されるグラフ
【図５】第１実施形態に係る監視装置の切り替え画面に表示される調査データ群
【図６】第１実施形態の第１変形例に係る監視画面に表示される通常表示されるグラフ
【図７】第１実施形態の第２変形例に係る監視画面に表示される通常表示されるグラフ
【図８】第１実施形態の拡張例に係る異常原因表示ルーチンの処理の流れを示す図
【図９】第１実施形態の拡張例に係る切り替え画面に表示される調査データ群
【図１０】第２実施形態に係る監視装置の使用形態を示すブロック図
【図１１】第２実施形態に係る監視装置の監視画面に表示される通常表示されるグラフ
【図１２】第２実施形態に係る監視装置の切り替え監視画面に表示される調査データ群
【符号の説明】
１　　デジタル監視カメラ
２　　窓センサ
３　　ドアセンサ
４　　照度センサ
１０ａ，１０ｂ，１０ｃ，１０ｄ　　温度センサ
２０ａ，２０ｂ　　室内機
２１ａ，２１ｂ，２１ｃ，２１ｄ　　ショーケース
３０　　事務所
３１　　会議室
４０　　ビル
４１　　店舗
５０，５１　　室外機
６０，６１　　制御管理装置
７０，７１　　監視装置
８０，８１　　データベース
９０，１６０　　データ収集ルーチン
９１　　部屋環境情報表示ルーチン
９２　　空気調和機情報表示ルーチン
９３　　室温履歴表示ルーチン
９４　　部屋状態情報表示ルーチン
９５，１６４　　異常データ判別ルーチン
９６，１６５　　異常データ区別表示ルーチン
１００，１７０　　監視プログラム
１１０　　機種情報管理部
１１１　　設置場所管理部
１１２　　スケジュール管理部
１１３，１８３　　圧縮機運転周波数制御部
１１４，１８４　　消費電力管理部
１１５，１８５　　膨張弁制御部
１３０，１３１　　管理室
１４０　　第１セクション表示
１４１　　第２セクション表示
１４２　　第３セクション表示
１５０　　ダイアログ
１６１　　庫内環境情報表示ルーチン
１６２　　ショーケース情報表示ルーチン
１６３　　庫内温度履歴表示ルーチン
１８０　　機種情報管理部
１８１　　設置位置管理部
１８２　　スケジュール管理部
１９０　　第１セクション表示
１９１　　第４セクション表示
１９２　　第２セクション表示
１９３　　第３セクション表示
２００　　（通常表示される）グラフ
２１０　　理想線
２２０　　上限を表す線
２２１　　下限を表す線
３００　　画面
【図１】
2004127047.tif 000003
【図２】
2004127047.tif 000004
【図３】
2004127047.tif 000005
【図４】
2004127047.tif 000006
【図５】
2004127047.tif 000007
【図６】
2004127047.tif 000008
【図７】
2004127047.tif 000009
【図８】
2004127047.tif 000010
【図９】
2004127047.tif 000011
【図１０】
2004127047.tif 000012
【図１１】
2004127047.tif 000013
【図１２】
2004127047.tif 000014